【手続補正書】
【提出日】平成19年12月20日(2007.12.20)
【手続補正１】
【補正対象書類名】特許請求の範囲
【補正対象項目名】全文
【補正方法】変更
【補正の内容】
【特許請求の範囲】
【請求項１】
歯科用歯測定装置用コンタクトキャップにおいて、
上記歯測定装置により歯測定歯の撮影を行う場合、上記歯測定装置の撮影窓部周辺を覆う状態で装着可能なキャップ部と、
上記キャップ部の前方に配され、装着状態で上記撮影窓部に対向する開口部と、
を具備しており、上記キャップ部は、柔軟性のある弾性変形可能な材料で形成されており、上記開口部の一辺部の厚みは、上記一辺部に対向する他辺部の厚みよりも薄く形成されていることを特徴とする歯科用歯測定装置用コンタクトキャップ。
【請求項２】
上記キャップ部は、黒色の材料で形成されていることを特徴とする請求項１に記載の歯科用歯測定装置用コンタクトキャップ。
【請求項３】
上記キャップ部の内面は、シボ面であることを特徴とする請求項２に記載の歯科用歯測定装置用コンタクトキャップ。
【請求項４】
上記開口部の大きさは、被測定歯の大きさより所定の余裕寸法分だけ大きくした寸法であることを特徴とする請求項１に記載の歯科用歯測定装置用コンタクトキャップ。
【請求項５】
さらに、上記開口部の上記他辺部には前方に突出し、被測定歯で噛み込み可能な突起部が設けられていることを特徴とする請求項１から請求項４のいずれか一つに記載の歯科用歯測定装置用コンタクトキャップ。
【請求項６】
上記突起部の上面に、凹部が設けられていることを特徴とする請求項５に記載の歯科用歯測定装置用コンタクトキャップ。
【請求項７】
さらに、上記開口部の左右には前方に向けて突出する柔軟性のある薄い一対の遮光用ひれ部が設けられていることを特徴とする請求項１から請求項６のいずれか一つに記載の歯科用歯測定装置用コンタクトキャップ。
【請求項８】
上記キャップ部の内面は、上下、左右対称な形状を有し、
上記キャップ部は、上記歯測定装置に対して上下方向逆に装着可能であることを特徴とする請求項１から請求項７のいずれか一つに記載の歯科用歯測定装置用コンタクトキャップ。
【請求項９】
上記キャップ部の左右には、それぞれ上記キャップ部の後方に延出する２つの延出部が設けられていることを特徴とする請求項１から請求項８のいずれか一つに記載の歯科用歯測定装置用コンタクトキャップ。
【請求項１０】
歯科用歯測定装置用コンタクトキャップを装着した状態で被測定歯のマルチバンド撮影を行うカメラを有することを特徴とする請求項１から請求項９のいずれか一つに記載の歯科用歯測定装置。
【手続補正２】
【補正対象書類名】明細書
【補正対象項目名】００１０
【補正方法】変更
【補正の内容】
【００１０】
本発明の請求項５に記載の歯科用歯測定装置用コンタクトキャップは、請求項１から請求項４のいずれか一つに記載の歯科用歯測定装置用コンタクトキャップにおいて、上記開口部の上記他辺部には、前方に突出し、被測定歯で噛み込み可能な突起部が設けられている。
【手続補正３】
【補正対象書類名】明細書
【補正対象項目名】００１１
【補正方法】変更
【補正の内容】
【００１１】
本発明の請求項６に記載の歯科用歯測定装置用コンタクトキャップは、請求項５に記載の歯科用歯測定装置用コンタクトキャップにおいて、上記突起部の上面に、凹部が設けられている。
【手続補正４】
【補正対象書類名】明細書
【補正対象項目名】００１２
【補正方法】変更
【補正の内容】
【００１２】
本発明の請求項７に記載の歯科用歯測定装置用コンタクトキャップは、請求項１から請求項６のいずれか一つに記載の歯科用歯測定装置用コンタクトキャップにおいて、上記開口部の左右には、前方に向けて突出する柔軟性のある薄い一対の遮光用ひれ部が設けられている。
本発明の請求項８に記載の歯科用歯測定装置用コンタクトキャップは、請求項１から請求項７のいずれか一つに記載の歯科用歯測定装置用コンタクトキャップにおいて、上記キャップ部の内面は、上下、左右対称な形状を有し、上記キャップ部は、上記歯測定装置に対して上下方向逆に装着可能である。
本発明の請求項９に記載の歯科用歯測定装置用コンタクトキャップは、請求項１から請求項８のいずれか一つに記載の歯科用歯測定装置用コンタクトキャップにおいて、上記キャップ部の左右には、それぞれ上記キャップ部の後方に延出する２つの延出部が設けられている。
本発明の請求項１０に記載の歯科用歯測定装置は、請求項１から請求項９のいずれか一つに記載の歯科用歯測定装置において、歯科用歯測定装置用コンタクトキャップを装着した状態で被測定歯のマルチバンド撮影を行うカメラを有する。
【手続補正５】
【補正対象書類名】明細書
【補正対象項目名】００２８
【補正方法】変更
【補正の内容】
【００２８】
この第一の実施形態のコンタクトキャップ３１は、黒色の伸縮自在な合成樹脂ゴム、例えば、スチレン系エラストマからなる薄肉キャップ形状を有する部材であって、カメラ２のトップカバー１２の外側前方に被せることが可能な部材である（図４１）。素材のゴム硬度は、フィット性、装着性上から７０度程度の材料を適用する（許容範囲として５０度〜８０度）。なお、このコンタクトキャップ３１は、使用後は破棄される、使い捨てタイプである。
【手続補正６】
【補正対象書類名】明細書
【補正対象項目名】００４４
【補正方法】変更
【補正の内容】
【００４４】
図４４，４７に示すように本実施形態のコンタクトキャップ３１Ｂには、コンタクトキャップ３１に対してさらにキャップ部３１ｊ前面の中央開口部３１ａの下辺位置で前方に突出した形状を有する突起部であるバイト部３１ｆと、中央開口部３１ａの左右の位置に上下方向に沿い、前方に突出した一対の遮光用ひれ部３１ｇが付加して設けられる。バイト部３１ｆは、ある程度の剛性を有している。ひれ部３１ｇは、厚みが薄く柔軟性のある部分で形成される。その他、コンタクトキャップ３１Ｂは、コンタクトキャップ３１と同様にキャップの内部が上下、左右対称形状を有しており、トップカバー１２との係止用の係止穴３１ｄを有し、中央開口部３１ａの寸法Ｐ1 ，Ｐ2 がそれぞれ１２mmであり、さらに、中央開口部３１ａの上辺部の厚みｔ1 が薄く、下辺部の厚みｔ2 が厚いことなど同様の形状を有している。
【手続補正７】
【補正対象書類名】明細書
【補正対象項目名】００４９
【補正方法】変更
【補正の内容】
【００４９】
なお、コンタクトキャップ３１Ｂを利用して下側門歯５２を撮影する場合も前記第一の実施形態の場合と同様にコンタクトキャップ３１Ｂを上下逆方向にしてトップカバー１２に装着した状態で行う。この場合も同様にひれ部３１ｇを口内に挿入し、かつ、門歯５１，５２でバイト部３１ｆを噛み込んだ状態とし、下側門歯５２を中央開口部３１ａ中央に位置させて、上述と同様の方法で下側門歯５２の撮影を行うことができる。
【手続補正８】
【補正対象書類名】明細書
【補正対象項目名】００５０
【補正方法】変更
【補正の内容】
【００５０】
上述したように本実施形態のコンタクトキャップ３１Ｂを適用した場合、前記第一の実施形態のコンタクトキャップ３１による場合と同様の効果を奏する以外に、バイト部３１ｆを上下門歯で噛み込むことによって被写体となる歯の相対位置がずれにくい状態で保持でき、さらに、正反射のない状態が容易に得られる。また、上述のように位置ずれが生じにくいことから撮影時、患者の頭部を固定する固定具の押圧力も軽減できる。さらに、柔軟性のあるひれ部３１ｇを口中に苦痛のない状態で挿入することができ、外乱光の開口部３１ａからの侵入を確実に防止できる。